(57)【要約】【課題】簡単な構成で爪を傷めることなく容易にバックルのロック解除ができる。【解決手段】上方が開口した容器本体１と、容器本体１の上開口を開閉自在に閉じるための蓋体２とで構成される収納容器３である。容器本体１の上端部又は蓋体２の外端部のいずれか一方にロック用係止部４を有するバックル５を回動自在に取付けると共にいずれか他方にロック用係止部４が係止自在なロック用被係止部６を設ける。バックル５の回動軸支部７を境にして上記ロック用係止部４を回動軸支部７から上下方向の一方側にずらして設けると共にバックル５の回動軸支部７から上下方向の他方側にずれた位置に外面側の押圧により回動軸支部７を中心にしてバックル５を回動するためのロック解除用の押圧部８を設ける。【選択図】        図１
2004196360.tif 000002
【特許請求の範囲】
【請求項１】
上方が開口した容器本体と、容器本体の上開口を開閉自在に閉じるための蓋体とで構成される収納容器であって、容器本体の上端部又は蓋体の外端部のいずれか一方にロック用係止部を有するバックルを回動自在に取付けると共にいずれか他方にロック用係止部が係止自在なロック用被係止部を設け、バックルの回動軸支部を境にして上記ロック用係止部を回動軸支部から上下方向の一方側にずらして設けると共にバックルの回動軸支部から上下方向の他方側にずれた位置に外面側の押圧により回動軸支部を中心にしてバックルを回動するためのロック解除用の押圧部を設けて成ることを特徴とする収納容器。
【請求項２】
バックルにロック用係止部と指を掛けるための指掛け部とを回動軸支部を境にして上下方向の一方側に設け、上下方向において指掛け部をロック用係止部よりも回動軸支部から離して成ることを特徴とする請求項１記載の収納容器。
【請求項３】
容器本体の外面部又は蓋体の外面部の押圧部に対応する部位に押圧部を押圧してバックルを回動軸支部を中心に回動した際に押圧部が入り込む凹部を設けて成ることを特徴とする請求項１記載の収納容器。
【請求項４】
蓋体の外面部又は容器本体の外面部の指掛け部に対応する部位に指を入れることができる凹所を設けて成ることを特徴とする請求項２又は請求項３記載の収納容器。
【発明の詳細な説明】
【０００１】
【発明の属する技術分野】
本発明は、容器本体と蓋体とを具備する収納容器に関するものである。
【０００２】
【従来の技術】
従来から屋外などに設置される収納容器として、容器本体と蓋体とを具備し、容器本体又は蓋体に回動自在に取付けたバックルにより容器本体に蓋体を被せた状態でバックルにより容器本体と蓋体とをロックするようにしたものが知られている。（例えば特許文献１、特許文献２参照）
上記特許文献１、特許文献２に示された従来例にあっては、容器本体の上端部又は蓋体の外端部のいずれか一方にロック用係止部を有するバックルを回動自在に取付けると共にいずれか他方にロック用係止部が係止自在なロック用被係止部を設け、ロック用係止部をロック用被係止部に係止することでロックするのであるが、ロック解除するに当たっては、ロック係止片の先端に指先を引掛けて回動軸支部を中心にしてバックルを回動することでロック用係止部をロック用被係止部から離脱させてロック解除を行うようにしている。
【０００３】
例えば特許文献１にあっては、図１７に示すように、蓋体２の下端部に蓋側フランジ部１３を設け、この蓋側フランジ部１３の一部にコ字状をしたバックル５の一端部を回動軸支部７により回動自在に枢支し、容器本体１の上端部の容器側フランジ部１２に蓋体２の下端部の蓋側フランジ部１３を被せた状態で、コ字状をしたバックル５の他端部のロック用係止部４を容器本体１の上開口縁部に設けた断面逆Ｌ字状をした容器側フランジ部１２の先端部のロック用被係止部６に弾性的に係止することでロックするようになっており、ロック解除に当たっては、ロック用係止部４の先端部と容器本体１の外面との間に指先を入れて該指先の先端をロック用係止部４の先端部に引掛け、この状態で、ロック用係止部４の先端部に引掛けた指先を手前の方に強く引っ張るようにして回動軸支部を中心にバックル５を回動することで、ロック用係止部４をロック用被係止部６から離脱させてロック解除するようにしている。
【０００４】
このようにロック用係止部４に指を引掛けてロック解除する従来例にあっては、ロック用係止部４の先端に指先を掛けて強く引っ張るため、爪を引掛けしまうことがあり、爪あるいは、指先を傷めるおそれがあり、また、ロック用係止部４の先端に直接指先を引掛けて回動軸支部を中心に回動操作するので指先に大きな力を必要とし、操作がし難いものである。
【０００５】
また、上記従来例にあっては、バックル５は指先で引掛けるという方法でしかロック解除することができない。ところで、指先で引掛けるというロック解除の方法にあたっては、通常使用者は薬指や中指を引掛けてロック解除するのが一般的であるが、使用者が薬指や中指を痛めている場合には、普段引掛け操作に使用しない親指等を引掛けてロック解除しなければならず、作業がきわめてし難くなるものである。
【０００６】
【特許文献１】
登録実用新案第３０３８３５２号公報
【特許文献２】
特開平７−２８５６０４号公報
【０００７】
【発明が解決しようとする課題】
本発明は上記の点に鑑みてなされたものであり、簡単な構成で爪を傷めることなく容易にバックルのロック解除ができ、また、バックルのロック解除を押圧によりロック解除と指先の引掛けによるロック解除のいずれでも行うことができて、その時々に応じたロック解除方式が選べて操作性を向上でき、しかも、バックルを押圧してロック解除するに当たって、バックルの容器本体の外面又は蓋体の外面からの突出長さを短くしながら回動軸支部から押圧部までの長さを長くできて小さな押圧力で大きなモーメントが発生して容易にロック解除ができる収納容器を提供することを課題とするものである。
【０００８】
【課題を解決するための手段】
上記課題を解決するために本発明に係る収納容器は、上方が開口した容器本体１と、容器本体１の上開口を開閉自在に閉じるための蓋体２とで構成される収納容器３であって、容器本体１の上端部又は蓋体２の外端部のいずれか一方にロック用係止部４を有するバックル５を回動自在に取付けると共にいずれか他方にロック用係止部４が係止自在なロック用被係止部６を設け、バックル５の回動軸支部７を境にして上記ロック用係止部４を回動軸支部７から上下方向の一方側にずらして設けると共にバックル５の回動軸支部７から上下方向の他方側にずれた位置に外面側の押圧により回動軸支部７を中心にしてバックル５を回動するためのロック解除用の押圧部８を設けて成ることを特徴とするものである。
【０００９】
このような構成とすることで、容器本体１に蓋体２を被せてバックル５のロック用係止部４をロック用被係止部６に係止してロックした状態で、ロック解除するに当たっては、押圧部８を押圧して回動軸支部７を中心にバックル５を回動することで、ロック用係止部４をロック用被係止部６から離脱させてロック解除ができるものである。
【００１０】
また、バックル５にロック用係止部４と指を掛けるための指掛け部９とを回動軸支部７を境にして上下方向の一方側に設け、上下方向において指掛け部９をロック用係止部４よりも回動軸支部７から離すことが好ましい。このような構成とすることで、収納容器３を設置している場所の状況や、使用者の姿勢、あるいは指の状況（例えば押圧するための親指を痛めている場合等）等の理由で押圧部８を押圧操作し難い場合など、指掛け部９に指先を掛けて回動軸支部７を中心にバックル５を回動することで、ロック用係止部４をロック用被係止部６から離脱させてロック解除することもできる。この場合、上下方向において指掛け部９をロック用係止部４よりも回動軸支部７から離してあることで、指掛け部９に引掛けて指先で加える小さな力で大きなモーメント力を生じさせてロック用係止部４をロック用被係止部６から容易に離脱させることができるものである。
【００１１】
また、容器本体１の外面部又は蓋体２の外面部の押圧部８に対応する部位に押圧部８を押圧してバックル５を回動軸支部７を中心に回動した際に押圧部８が入り込む凹部１０を設けることが好ましい。このような構成とすることで、押圧部８を押圧してバックル５を回動してロック解除する際に、押圧部８を容器本体１の外面部又は蓋体２の外面部よりも内側に没入させることができ、これによりバックル５の容器本体１の外面又は蓋体２の外面からの突出長さをできるだけ短くしながら回動軸支部７から押圧部８までの長さを長くできて小さな押圧力で大きなモーメントが発生して容易にロック解除ができる
また、蓋体２の外面部又は容器本体１の外面部の指掛け部９に対応する部位に指を入れることができる凹所１１を設けることが好ましい。このような構成とすることで、指掛け部９に指先を引掛けてロック解除操作をする場合、凹所１１に指先を入れて指掛け部９に指先を引掛けることができ、これにより容器本体１又は蓋体２の外面からのバックル５の突出長さをできるだけ短くできることになる。
【００１２】
【発明の実施の形態】
以下、本発明を添付図面に示す実施形態に基づいて説明する。
【００１３】
本発明の収納容器３は、上方が開口した容器本体１と、容器本体１の上開口を開閉自在に閉じるための蓋体２とで構成してある。
【００１４】
図１乃至図６に示すように、容器本体１は平面視長方形状又は正方形状をしたもので、上開口の外周部に容器側フランジ部１２を設けてある。容器側フランジ部１２は断面逆Ｌ字状をしている。一方、上記容器本体１の上開口に着脱自在に被せられる蓋体２は下開口の外周部に蓋側フランジ部１３が設けてある。蓋側フランジ部１３は断面略Ｌをした蓋側フランジ部１３は容器側フランジ部１２に着脱自在に被嵌自在となっている。
【００１５】
容器本体１は合成樹脂製で上方に行くほど水平断面形状が大きくなるように側壁部が上広がりに傾斜して形成してある。図１、図２、図３に示すように、容器本体１の一対の対向する側壁部に外面側が凹んだ容器側凹条部３０を上下方向にわたって複数形成してあり、この容器側凹条部３０は内面側においては側壁部の内面から内方に突出した容器側凸条部３１となっている。また、蓋体２は合成樹脂製で下方に行くほど水平断面形状が大きくなるように側壁部が下広がりに傾斜して形成してある。図１、図２、図３に示すように、蓋体２の一対の対向する側壁部に外面側が凹んだ蓋側凹条部３２を上下方向にわたって複数形成してあり、この蓋側凹条部３２は内面側においては側壁部の内面から内方に突出した蓋側凸条部３３となっている。容器側凹条部３０、容器側凸条部３１は下に行くほど横幅が狭くなるような正面視略台形状をしており、また、蓋側凹条部３２、蓋側凸条部３３は上に行くほど横幅が狭くなるような正面視略逆台形状をしている。そして、容器本体１の上開口に蓋体２を被せた状態で、容器側凹条部３０の真上に蓋側凹条部３２が位置するようになっている。容器側凸状部３１の上端部の横幅と蓋側凹条部３２の下端部の横幅とがほぼ等しくしなっており、正面視略台形状の容器側凸条部３１の両側の傾斜と、正面視略逆台形状の蓋側凹条部３２を上下逆にした場合における両側の傾斜とが同じ傾斜となっている。そして、収納容器３を搬送あるいは展示する際に、嵩を低くするために、図１６に示すように、蓋体２を上下逆にして容器本体１の上開口から容器本体１内に嵌め込み収納できるようになっており、この場合、容器本体１の容器側凸状部３１に上下逆にした蓋体２の蓋側凹条部３２を被嵌して容器本体１に対して蓋体２ががたつかないように嵌め込み収納できるようになっている。
【００１６】
上記平面視長方形状又は正方形状をした容器側フランジ部１２の一辺、又は、平面視長方形状又は正方形状をした蓋側フランジ部１３の一辺のいずれか一方側に軸１４が設けてあると共にいずれか他方に軸受け１５が設けてあって軸１４を軸受け１５に回動自在に取付けることで容器本体１に対して蓋体２を回動自在に取付けてある。
【００１７】
添付図面に示す実施形態では、図１３のように、容器本体１の容器側フランジ部１２の一辺部の容器側凹条部３０の上端部に対応する部位に凹欠部１６を設け、この凹欠部１６の下部に横向きに軸１４を設けてある。
【００１８】
また、図１４に示すように、蓋体２の蓋側フランジ部１３の一辺部の蓋側凹条部３２の下端部に対応する部位に軸受け部１５が設けてある。軸受け部１５は蓋側フランジ部１３の一辺部の蓋側凹条部３２の下端部に対応する部位に凹欠部３４を設け、凹欠部３４の下端部にＬ字状片１５ａと逆Ｌ字状片１５ｂとを横方向に隙間を介して隣接して形成することで軸受け部１５を構成してある。ここで、Ｌ字状片１５ａの下横片１５ｃと逆Ｌ字状片１５ｂの上横片１５ｄとが隙間を介して上下に対向しており、蓋体２を起立させた状態で逆Ｌ字状片１５ｂの上横片１５ｄとの間の隙間を上方から軸１４に嵌め込むことで図９、図１０に示すように軸１４に軸受け部１５を回動自在に取付けるようになっている。
【００１９】
また、上記軸１４を設けた辺又は軸受け部１５を設けた辺と対向する容器側フランジ部１２の他辺、又は、蓋側フランジ部１３の他辺のいずれか一方側に、ロック用係止部４を有するバックル５を回動自在に取付けると共にいずれか他方にロック用係止部４が係止自在なロック用被係止部６を設けてある。
【００２０】
添付図面に示す実施形態においては、容器本体１の容器側フランジ部１２の他辺のにバックル５が回動自在に複数取付けてあり、蓋体２の蓋側フランジ部１３の他辺にロック用被係止部６が複数設けてある。
【００２１】
すなわち、図１１に示すように、容器本体１の容器側フランジ部１２の他辺の容器側凹条部３０の上端部に対応する部位にバックル取付け用凹部１７を設け、このバックル取付け用凹部１７の両内側壁に軸受け孔１８を設けてあり、上記バックル取付け用凹部１７の両内側壁間の幅が上から軸受け孔１８側に近づくほど短くなるように傾斜した案内傾斜面１７ａとなっている。
【００２２】
バックル５は図１５に示すようなもので合成樹脂により形成してあって、前片部１９の外周端縁部から背方に外周片部２０が突設してあり、外周片部のうち対向する両側片部２１の略中央部に背方に開口したコ字状切欠部２２が設けてあり、側片部２１の上記コ字状切欠部２２を挟んで上下に対向する部位のうち一方（図の実施形態ではコ字状切欠部２２の下側の部位）から外側方に向けて回動軸支部７となる軸部２３が突設してあり、軸部２３の突出端面は上下方向に傾斜していて案内面２３ａとなっている。
【００２３】
側片部２１の上記コ字状切欠部２２を挟んで上下に対向する部位のうち他方（図の実施形態ではコ字状切欠部２２の上側の部位）間に三辺を両側片部２１と前片部１９とに一体に連設して横片部２４が配設してあり、この横片部２４の突出先端部の上下方向においてコ字状切欠部２２側を向いた面（添付図面に示す実施形態では下面）に突部２５が突設してある。コ字状切欠部２２の上記横片部２４を架設した方の縁部と上記突部２５とがロック用係止部４を構成している。
【００２４】
また、バックル５の前片部１９のバックル５の上記回動軸支部７となる軸部２３を境にして上下方向において上記ロック用係止部４と反対側にずれた位置にロック解除用の押圧部８を設けてある。押圧部８は容器側フランジ部１２の凹欠部１６の下端部よりも下方に突出しており、この下方に突出した押圧部８のは容器側凹条部３０の上端部と対向しており、この容器側凹条部３０の上端部の部位が後述のように押圧部８を押圧してバックル５を回動軸支部７を中心に回動した際に押圧部８が入り込むための凹部１０を構成している。
【００２５】
また、バックル５の上下方向において上記押圧部８を設けた側と反対側の端部には指掛け部９が設けてある。すなわち、このロック用係止部４はバックル５の上下方向において回動軸支部７を挟んで指掛け部９を設けた側に設けてあり、しかも、指掛け部９はロック用係止部４よりも回動軸支部７から上下方向に離れた位置に設けてある。上記指掛け部９とロック用係止部４との間の前片部１９の部位がロック操作の際に押圧操作するためのロック用押圧操作部２６となっている。そして、バックル取付け用凹部１７の両内側壁の案内傾斜面１７ａにバックル５の両側の両軸部２３の上記案内面２３ａを案内ガイドとして押し込むことで両軸部２３を両軸受け孔１８に回動自在に嵌め込むようになっている。
【００２６】
図１２に示すように、蓋体２の蓋側フランジ部１３の他辺の蓋側凹条部３２の下端部に対応する部位に蓋側切欠部３５が設けてあり、この蓋側切欠部３５内に奥側から断面Ｌ状をしたロック用被係止部６が突設してある。ロック用被係止部６の上面部の先端部には係止突起３６が突設してある。
【００２７】
また、図２乃至図４、図６に示すように、容器本体１の下面部の一方側の端部にはキャスター３７を取付けたキャスター受け３８が設けてあり、下面部の中央部及び他方側の端部には接地脚３９が設けてある。接地脚３９、キャスタ受け３８の接地脚３９を向いた部位はキャスター３７と同じか又は少し下となるようなレベルとなっていて接地が安定し、接地脚３９側を浮かせるように容器本体１を傾けた場合はキャスター３７のみが接地して容易に移動できるようになっている。
【００２８】
しかして、図８のようにバックル５を倒した状態で容器本体１の上開口を蓋体２で覆うと共に蓋側フランジ部１３を容器側フランジ部１２に被嵌する。この状態で、バックル５のロック用押圧操作部２６を図８矢印イ方向に押圧し、ロック用係止部４をロック用被係止部６に係止する。この場合、図７に示すように、バックルの両側片部２１のコ字状切欠部２２が断面Ｌ字状をしたロック用被係止部６に嵌め込まれコ字状切欠部２２の横片部２４を架設した方の縁部が断面Ｌ字状をしたロック用被係止部６の横片に弾性的に係止し且つ突部２５が係止突起３６に弾性的に係止することでバックル５によりロックがなされて容器本体１を蓋体２で閉じた状態が保持される。上記バックル５のロック操作において、ロック用押圧操作部２６を回動軸支部７よりも上下方向において遠い位置に設けてあるので、ロック用押圧操作部２６を軽い力で押圧しても大きなモーメント力を発生させることできて、ロック用押圧操作部２６を軽い力で押圧してもロック用係止部４をロック用被係止部６に弾性的に強い弾性係止力により係止操作することが可能となる。
【００２９】
図７に示すようにバックル５のロック状態においてバックル５の上端の指掛け部９はロック用被係止部６の横片よりも上方に突出した位置となるようになっており、この指掛け部９の背面側に蓋側凹条部３２に対向していて該蓋側凹条部３２の指掛け部９と対向する部分が指を入れることができる凹所１１となっている。
【００３０】
一方、図７のバックル５のロック状態においてバックル５によるロックを解除するには、図７において矢印ロ方向にバックル５の押圧部８を押圧して回動軸支部７を中心にバックル５を回動することで、ロック用係止部４をロック用被係止部６から離脱させてロック解除ができるものである。この場合、親指や人差し指や中指等により押圧部８を押圧操作することで、従来のように指先を引掛けて回動操作させてロック解除するものに比べ、爪などを傷つけることなく、押圧操作で容易にロック解除することができるものである。
【００３１】
また、収納容器３を設置している場所の状況や、使用者の姿勢、あるいは指の状況（例えば押圧するための親指を痛めている場合等）等の理由で押圧部８を押圧操作してロック解除がし難い場合などは、指掛け部９に指先を掛けて回動軸支部７を中心にバックル５を回動することで、ロック用係止部４をロック用被係止部６から離脱させてロック解除することもできるものである。この場合、上下方向において指掛け部９をロック用係止部４よりも回動軸支部７から離してあることで、指掛け部９に引掛けて指先で加える小さな力で大きなモーメント力を生じさせてロック用係止部４をロック用被係止部６から容易に離脱させることができるものである。
【００３２】
ところで、本発明においては、押圧部８を押圧してバックル５を回動軸支部７を中心に回動した際に押圧部８が入り込む凹部１０を設けてあり、この凹部１０は容器本体１の外面部よりも内側に凹んでいるので、押圧部８を押圧してバックル５を回動してロック解除する際に、押圧部８を容器本体１の外面部よりも内側に没入させることができるものである。これにより容器本体１の外面からのバックル５の突出長さをできるだけ短くでき、しかも、このようにバックル５の容器本体１の外面からの突出長さを短くしながら回動軸支部７から押圧部８までの長さを長くできて押圧力で大きなモーメントが発生して容易にロック解除ができるることになる。
【００３３】
また、蓋体２の外面部の指掛け部９に対応する部位に指を入れることができる凹所１１を設けてあるので、指掛け部９に指先を入れる際に凹所１１に指先を入れて指掛け部９に指先を引掛けることができ、これにより指掛け部９を設けるものにおいても容器本体１又は蓋体２の外面からのバックル５の突出長さをできるだけ短くできることになる。
【００３４】
ところで、収納容器３を空の状態で搬送したり、展示したりする場合、できるだけ嵩を低くする必要があるので、本発明においては、蓋体２を容器本体１に取付けない状態で、図１６に示すように、蓋体２を上下逆にして容器本体１の上開口から嵌め込むことができるようになっている。この場合、容器本体１の容器側凸状部３１に上下逆にした蓋体２の蓋側凹条部３２が被嵌して容器本体１に対して蓋体２ががたつかないように嵌め込み収納できるようになっている。つまり、本発明においては、容器本体１の補強用に設けられ且つ一部が押圧部８が入り込む凹部１０となった容器側凹条部３０と、蓋体２の補強用に設けられ且つ一部が指先を入れる凹所１１となった蓋側凹条部３２を利用して容器本体１に蓋体２を上下逆にして嵌め込み収納した際のがたつき防止の役目を兼用させることができるものである。
【００３５】
なお、上記実施形態において、容器本体１側にロック用係止部４を有するバックル５を回動自在に取付け、蓋体２側にロック用被係止部６を設けた例を示したが、蓋体２側にロック用係止部４を有するバックル５を回動自在に取付け、容器本体１側にロック用被係止部６を設けるものであってもよいものである。
【００３６】
また、上記実施形態においては、バックル５に指掛け部９を設けた例を示したが、指掛け部９を設けない場合であってもよいものである。
【００３７】
【発明の効果】
上記のように本発明の請求項１記載の発明にあっては、容器本体の上端部又は蓋体の外端部のいずれか一方にロック用係止部を有するバックルを回動自在に取付けると共にいずれか他方にロック用係止部が係止自在なロック用被係止部を設け、バックルの回動軸支部を境にして上記ロック用係止部を回動軸支部から上下方向の一方側にずらして設けると共にバックルの回動軸支部から上下方向の他方側にずれた位置に外面側の押圧により回動軸支部を中心にしてバックルを回動するためのロック解除用の押圧部を設けてあるので、バックルのロック解除に当たって、押圧部を押圧して回動軸支部を中心にバックルを回動することで、ロック用係止部をロック用被係止部から離脱させて簡単にロック解除ができるものであり、従来のようにロック用係止部の先端に指先を掛けてバックルを回動させてロック解除するもののように指先の爪を傷めたりすることなく、簡単な押圧操作でロック解除ができるものである。
【００３８】
また、請求項２記載の発明にあっては、上記請求項１記載の発明の効果に加えて、バックルにロック用係止部と指を掛けるための指掛け部とを回動軸支部を境にして上下方向の一方側に設け、上下方向において指掛け部をロック用係止部よりも回動軸支部から離してあるので、収納容器を設置している場所の状況や、使用者の姿勢、あるいは指の状況（例えば押圧するための親指を痛めている場合等）等の理由で押圧部を押圧操作し難い場合など、指掛け部に指先を掛けて回動軸支部を中心にバックルを回動してロック解除することも可能であって、押圧によるロック解除操作と指先を引掛けてのロック解除操作とを状況により選択できて、よりいっそうロック解除操作が容易となるものである。しかも、上下方向において指掛け部をロック用係止部よりも回動軸支部から離してあることで、指掛け部に引掛けて指先で加える小さな力で大きなモーメント力を生じさせてロック用係止部をロック用被係止部から容易に離脱させることができて、指先を掛けてのロック解除操作が軽い力で行え、指先を引掛けてロック解除操作する際に指先の爪を傷めにくいものである。
【００３９】
また、請求項３記載の発明にあっては、上記請求項１記載の発明に効果に加えて、容器本体の外面部又は蓋体の外面部の押圧部に対応する部位に押圧部を押圧してバックルを回動軸支部を中心に回動した際に押圧部が入り込む凹部を設けてあるので、押圧部を押圧してバックルを回動してロック解除する際に、押圧部を容器本体の外面部又は蓋体の外面部よりも内側に没入させることができ、これにより容器本体の外面又は蓋体の外面からのバックルの突出長さをできるだけ短くでき、使用、搬送、保管に当たってバックルが邪魔になりにくく且つ破損し難いようにできるのみならず、バックルの容器本体の外面又は蓋体の外面からの突出長さを短くしながら回動軸支部から押圧部までの長さを長くできて押圧力で大きなモーメントが発生して容易にロック解除ができるものである。
【００４０】
また、請求項４記載の発明にあっては、上記請求項２記載の発明の効果に加えて、蓋体の外面部又は容器本体の外面部の指掛け部に対応する部位に指を入れることができる凹所を設けてあるので、指掛け部に指先を引掛けてロック解除操作をする場合、凹所に指先を入れて指掛け部に指先を引掛けることができ、これにより指掛け部を設けるものであっても容器本体又は蓋体の外面からのバックルの突出長さをできるだけ短くでき、使用、搬送、保管に当たってバックルが邪魔になりにくく且つ破損し難いものである。
【図面の簡単な説明】
【図１】本発明の収納容器の斜視図である。
【図２】同上の正面図である。
【図３】同上の背面図である。
【図４】同上の側面図である。
【図５】同上の平面図である。
【図６】同上の断面図である。
【図７】同上のバックルでロックしている状態の断面図である。
【図８】同上のバックルによるロックを解除した状態の断面図である。
【図９】同上の容器本体に蓋体を回動自在に軸支した部分の断面図である。
【図１０】同上の容器本体に蓋体を回動自在に軸支した他の部分の断面図である。
【図１１】同上の容器本体のバックルを取付ける部分の斜視図である。
【図１２】同上の蓋体のロック用被係止部を設けた部分の斜視図である。
【図１３】同上の容器本体の軸を設けた部分の斜視図である。
【図１４】同上の蓋体の軸受け部を設けた部分の斜視図である。
【図１５】同上に使用するバックルを示し、（ａ）は正面から見た斜視図であり、（ｂ）は背面から見た斜視図であり、（ｃ）は正面図である。
【図１６】（ａ）は同上の蓋体のを上下逆にして容器本体の上開口部から内部に嵌め込み収納した状態の断面図であり、（ｂ）は容器本体の容器側凸状部に上下逆にした蓋体の蓋側凹条部を被嵌した部分の水平断面図である。
【図１７】従来例を示す断面図である。
【符号の説明】
１  容器本体
２  蓋体
３  収納容器
４  ロック用係止部
５  バックル
６  ロック用被係止部
７  回動軸支部
８  押圧部
９  指掛け部
１０  凹部
１１  凹所
【図１】
2004196360.tif 000003
【図２】
2004196360.tif 000004
【図３】
2004196360.tif 000005
【図４】
2004196360.tif 000006
【図５】
2004196360.tif 000007
【図６】
2004196360.tif 000008
【図７】
2004196360.tif 000009
【図８】
2004196360.tif 000010
【図９】
2004196360.tif 000011
【図１０】
2004196360.tif 000012
【図１１】
2004196360.tif 000013
【図１２】
2004196360.tif 000014
【図１３】
2004196360.tif 000015
【図１４】
2004196360.tif 000016
【図１５】
2004196360.tif 000017
【図１６】
2004196360.tif 000018
【図１７】
2004196360.tif 000019